(57)【要約】      （修正有）【課題】弦楽器演奏者は第２乃至第５手指を適宜使ってスライド奏法を行うことができるので、操作性に優れているし、従来のスライドバーでは不可能であった和音を形成して旋律を奏でるといった自在な演奏が可能である。また、指先部への装着を容易、確実、迅速に行うことができる。【解決手段】第２乃至第５手指の各指先部に装着するスライダー１Ａ、１Ｂ、１Ｃ、１Ｄは、指先部を挿脱可能な開口部を有し、先端が閉塞したキャップ状のスライダー本体から形成してある。スライダー本体の外面には平滑面からなる弦摺接面が形成してあり、内面には演奏中の抜け防止のための指掛り部が形成してある。【選択図】図６
2006171513.tif 000002
【特許請求の範囲】
【請求項１】
弦楽器演奏者の第２、第３、第４及び第５手指の各々に装着し、弦楽器の弦にスライドさせる弦楽器用スライダーであって、各手指の指尖から第一関節の間の指先部に嵌装する長さを有するスライダー本体と、該スライダー本体の外面に形成した平滑面からなる弦摺接面と、前記スライダー本体の内面に形成した指掛り部とから構成してあることを特徴とする弦楽器用スライダー。
【請求項２】
前記スライダー本体に形成する指掛り部は、粗状面又は突条である請求項１記載の弦楽器用スライダー。
【請求項３】
基体と、該基体に上面から下面に向けて形成した複数のスライダー保持穴とからなり、該スライダー保持穴は請求項１記載の弦楽器用スライダーの各々を挿脱可能に形成したものであることを特徴とするスライダー着脱器。
【請求項４】
前記スライダー保持穴は、内面の一部を平滑面に、残部を粗面に形成してあることを特徴とする請求項３記載のスライダー着脱器。
【請求項５】
前記基体は、相手部材に対して着脱可能に固定するための係着手段を設けてあることを特徴とする請求項３記載のスライダー着脱器。
【発明の詳細な説明】
【技術分野】
【０００１】
本発明は、ギターその他の弦楽器の演奏者が指先に装着して、音階を無段階に変化させたり、独特の音色を奏でたりすることのできる弦楽器用スライダー及びスライダーを指に着脱するためのスライダー着脱器に関する。
【背景技術】
【０００２】
弦楽器、特にギターＧの演奏では、図１０に示すように、利き手が右手の演奏者は左手Ａ(利き手が左手の演奏者の場合は右手)の第３指である薬指にスライドバー５１を装着して弦の上を滑らすことにより、音を無段階的に変化させるスライド奏法が行われている。このスライドバー５１には、金属或いはガラスによってパイプ状に形成したものを用いている。
【０００３】
また、ギターＧの演奏では通常の奏法とスライド奏法を瞬時に変えて行うものであることから、特許文献１に示すように、横断面略湾曲状の板体からなるバー１と、該バー１の長手方向一端側に形成したリング状部２とから構成し、リング状部２を指に装着した状態で回転させることにより通常の奏法とスライド奏法の間で切換えて移行することができるようにしたスライド奏法用スライドバーが提案されている。
【特許文献１】特開２０００−１６３０４８号公報
【発明の開示】
【発明が解決しようとする課題】
【０００４】
しかし、上述した従来のスライドバー５１は長さを有するパイプ状に形成したものが殆どであり、また、特許文献１に示すスライドバー１は長さを有する板体に形成したものであって、両者とも基本的には同一フレット上にある６本の弦にスライドさせる奏法に限られる、換言すれば多様な和音を一度に奏でることができないという問題がある。
【０００５】
また、旋律を奏でる場合も、1本のスライドバーを１フレットずつ移動させるためには手首ごと移動させなければならず、スライドバーの移動が煩雑で高い習熟を必要とするという問題がある。しかも、同一の旋律を奏でる場合も、普通の奏法に比べて速度が遅くなるという欠点があり、これに対応するためにも高い習熟が求められるという問題がある。
【０００６】
本発明は上述した従来技術の欠点に鑑みなされたもので、演奏者が４本の指の各々に装着して使用するので、演奏者にとって操作性に優れているし、和音を形成し旋律を奏でる自由度が高いので好みの演奏を行うことができると共に、演奏中の手首の移動が少なくなるからスライド奏法の習熟も容易である弦楽器用スライダーを提供し、また、このスライダーを指先に容易かつ迅速に着脱することのできるスライダー着脱器を提供することを目的とする。
【課題を解決するための手段】
【０００７】
上述した課題を解決するために構成した請求項１に係る本発明の手段は、弦楽器演奏者の第２、第３、第４及び第５手指の各々に装着し、弦楽器の弦にスライドさせる弦楽器用スライダーであって、各手指の指尖から第一関節の間の指先部に嵌装する長さを有するスライダー本体と、該スライダー本体の外面に形成した平滑面からなる弦摺接面と、前記スライダー本体の内面に形成した指掛り部とからなる。
【０００８】
また、前記スライダー本体に形成する指掛り部は、粗状面又は突条に形成するとよい。
【０００９】
また、本願の請求項３に係る発明を構成する手段は、基体と、該基体に上面から下面に向けて形成した複数のスライダー保持穴とからなり、該スライダー保持穴は請求項１記載の弦楽器用スライダーの各々を挿脱可能に形成したものからなる。
【００１０】
そして、前記スライダー保持穴は、内面の一部を平滑面に、残部を粗面に形成するとよい。
【００１１】
また、前記基体は、相手部材に対して着脱可能に固定するための係着手段を設けた構成にするとよい。
【発明の効果】
【００１２】
本発明は以上詳述した如く構成したから、下記の諸効果を奏する。
（１）スライダーは第２、第３、第４及び第５手指の各々に装着して使用するから、演奏者は任意の弦にスライダーを滑らせることも、任意の和音を形成することも、また２から４個のスライダーを一体にして１本のスライドバーのようにして２から４本の弦に滑らすことも可能であり、演奏者は自在な演奏が可能である。
（２）指の各々に装着して使用するので、演奏中の手首の移動が少なくなるからスライド奏法の習熟も容易であるし、手首の疲れも少なくできる。
（３）スライダー本体に粗面状又は突条の指掛り部を形成したから、演奏中に脱落したり、ずれたりすることがなく、確実な演奏ができる。
（４）スライダー保持器を使用することにより、指先部へのスライダーの着脱を容易、確実、かつ迅速に行うことができる。
【発明を実施するための最良の形態】
【００１３】
以下、本発明の実施の形態を図１乃至図６に基づき詳述する。図において、１Ａ、１Ｂ、１Ｃ、１Ｄは弦楽器演奏者の第２、第３、第４及び第５手指の各々に装着して使用するギター用のスライダーを示す。なお、該スライダー１Ａ、１Ｂ、１Ｃ、１Ｄの各々は装着する指の太さに応じてサイズは異なるが、構成要素は同一であるので、以下の説明ではこれら４個のスライダー１Ａ、１Ｂ、１Ｃ、１Ｄを含む総称としてスライダー１と称する。
【００１４】
２は該スライダー１を構成する銀製のスライダー本体を示し、該スライダー本体２は基端が指挿入可能な開口部２Ａになり、内面２Ｂ及び外面２Ｃが指先部Ｂの横断面外形に倣った略円形をなし、先窄まりになって先端２Ｄが閉塞したキャップ状に形成してあり、指の指尖から第一関節の間の指先部Ｂに挿嵌する深さを有している。
【００１５】
３は前記スライダー本体２の外面２Ｃで、指先部Ｂに装着した場合に指腹側に位置する面に形成した弦摺接面で、該弦摺接面３は弦に確実に接することができるように、かつ弦上を円滑に摺動するように平滑面に形成してある。
【００１６】
４、４はスライダー本体２の内面２Ｂに突設した一対の指掛り部を示す。該指掛り部４、４は、演奏中に指先部Ｂからスライダー１が不用意に脱落するのを防止し、かつ指先部Ｂから抜き外す際の支障にならないことを考慮し、長さ約１０ｍｍ、高さ約１，５〜２ｍｍの一対の突条からなり、スライダー本体２の内面２Ｂに互いに対向した状態で凹湾曲状に形成してある。
【００１７】
本実施の形態に係るスライダー１は上述の構成からなり、使用時には指先部Ｂに指尖までしっかり挿入して装着する。ギターＧの演奏時には、４本の各指に装着したスライダー１、１、・・・を一体にして従来のスライドバーを用いるスライド奏法と同様に弦の上を滑らせてスライド奏法を行うことができるし、通常の奏法のように１本或いは任意の複数本の指先部Ｂのスライダー１Ａ（１Ｂ、１Ｃ、１Ｄ）を夫々の弦に滑らせてもよく、演奏者は任意の指使いをすることにより、和音の形成、旋律について自在な演奏を行うことができる。
【００１８】
なお、本実施の形態では、指掛り部４を突条に形成したが、スライダー本体２の内面２Ｂの一部を指先部Ｂが滑りにくい粗面に形成してもよいものである。
【００１９】
また、本実施の形態ではスライダー本体２の素材に銀を使用したが、パラジウム、金、銅、亜鉛、インジウム等を用いてもよい。
【００２０】
また、本実施の形態ではスライダー本体２はキャップ状に形成したが、筒状、弾頭状又は横断面略Ｃ字状に形成してもよい。
【００２１】
更に、スライダー１Ａ、１Ｂ、１Ｃ、１Ｄは、演奏者の第２乃至第５手指の各々に適切に嵌合することが望ましいから、手指を含む手首の石膏模型を製作し、これからロウ型を形成し、金属を鍛造して製作する方法、溝を彫った手指模型上に直接即時重合型の合成樹脂を圧接して作製する方法、セラミックスにより型成形する方法等により成形するとよい。
【００２２】
ところで、スライド奏法は、演奏中に通常のギター奏法から切換えて行うことも、その逆を行うことも多くあることから、上述したスライダー１は演奏に応じて容易に、かつ速やかに指先部Ｂから着脱できることが必要であるし、重要である。第２の実施の形態で示すスライダー着脱器１１は、４個のスライダー１Ａ、１Ｂ、１Ｃ、１Ｄの着脱を迅速かつ確実に行うためのものである。以下に、図７乃至図９を参照しつつスライダー着脱器１１を説明する。図において、１２は該スライダー着脱器１１を構成する基体で、該基体１２は、例えば合成樹脂、木、金属等の適宜の材料により上面１２Ａ及び下面１２Ｂが平坦な棒状に形成してある。
【００２３】
１３Ａ、１３Ｂ、１３Ｃ、１３Ｄは、前記基体１２に上面１２Ａから下面１２Ｂに向けて形成した４個のスライダー保持穴を示す。該スライダー保持穴１３Ａ、１３Ｂ、１３Ｃ、１３Ｄ（以下、スライダー保持穴１３と総称する。）は、スライダー１を速やかに挿入可能なように、スライダー１の外形より若干大きな穴径に形成してあるが、指先部Ｂを抜く時にスライダー１はスライダー保持穴１３内に確実に保持されるように、内面の一部、即ち指先部Ｂを押し付ける側の面は粗面１４に形成してある。
【００２４】
本実施の形態に係るスライダー着脱器１１は、上述の構成からなるもので、
スライダー１Ａ、１Ｂ、１Ｃ、１Ｄを指先部Ｂから抜き出し、また装着する場合には、右手Ｃでスライダー着脱器１１を横向きの状態に保持して各スライダー１をスライダー保持穴１３に差し込み、内面に押し付ける感じにして指先部Ｂを抜き出すことにより、各スライダー１をスライダー保持器１１に保持させることができる。
【００２５】
上記とは逆に、指先部Ｂに各スライダー１を装着する場合は、スライダー保持器１１を右手Ｃで横向きの状態にして指先部Ｂを真直ぐに差し込んで引き抜く。このようにして、スライダー保持器１１を用いることにより、指先部Ｂへのスライダー１の着脱を容易、確実、かつ迅速に行うことができる。
【００２６】
また、本実施の形態ではスライダー着脱器１１は、スライダー１を着脱する使用時には右手Ｃで保持する構成にしたが、基体１２の下面１２Ｂに係着手段としての吸着盤を設けて演奏時に周囲にある譜面台等の機材の平坦面に吸着させて使用してもよいし、ばね式クランプを設けて譜面台のスタンドに拘持させる構成にしてもよい。
【００２７】
なお、スライダー保持器１１の製作にあったっては、前述した各スライダー１を手指に装着し、その周囲に可塑性ゴム質シリコン材を圧着して成形し、硬化させることにより製作してもよい。また、例えば合成樹脂で４個の穴を有する基体を形成し、各穴にスライダー１を挿嵌して周囲をシリコン材で充填してスライダー保持穴１３を形成してもよい。
【図面の簡単な説明】
【００２８】
【図１】図１乃至図６は本発明の第１の実施の形態に係り、図１はスライダーの正面図である。
【図２】指先部に装着した状態で示すスライダーの側面図である。
【図３】スライダーの縦断面図である。
【図４】図１中のＩＶ−ＩＶ矢示方向断面図である。
【図５】スライダーの使用状態を正面から示す説明図である。
【図６】スライダーの使用状態を平面から示す説明図である。
【図７】図７乃至図９は本発明の第２の実施の形態に係り、図７はスライダー保持器の一部を破断にして示す正面図である。
【図８】スライダー保持器にスライダーを装着する状態を示す説明図である。
【図９】スライダー保持器からスライダーを抜き出す状態を示す説明図である。
【図１０】従来技術に係るスライドバーの使用状態を示す説明図である。
【符号の説明】
【００２９】
１          スライダー
２          スライダー本体
３          弦摺接面
４          指掛り部
１１        スライダー保持器
１２        基体
１２Ａ      上面
１２Ｂ      下面
１３        スライダー保持穴
１４        粗面
Ｂ          指先部
【図１】
2006171513.tif 000003
【図２】
2006171513.tif 000004
【図３】
2006171513.tif 000005
【図４】
2006171513.tif 000006
【図５】
2006171513.tif 000007
【図６】
2006171513.tif 000008
【図７】
2006171513.tif 000009
【図８】
2006171513.tif 000010
【図９】
2006171513.tif 000011
【図１０】
2006171513.tif 000012